(57)【特許請求の範囲】
【請求項１】
支持フレームに固定され管の前面の内側に張力下で取り付けられるよう適合され、オリフィスがあけられた中央域及び上記中央域とエッジの間に配置される周辺域を有し、上記支持フレームと無関係に振動することができる、略長方形の金属箔の形態にある色選択マスクと、
中央部分が上記マスクの上記周辺域の表面に固定され２つの翼部が上記中央部分の両側に延在し上記周辺域の表面に接触する柔軟な細片の形態にある共振器を有し、上記マスク中の振動を減衰させるよう上記マスクの上記周辺域に配置されるマスク減衰振動手段とを有する色陰極線管。
【請求項２】
上記マスクは、単一の方向に引っ張られ、上記共振器は、上記マスクのエッジに固定され、上記共振器の翼部は、上記マスクの張力の方向に平行な方向に延在する請求項１記載の陰極線管。
【請求項３】
上記共振器は、更に、振動エネルギーを散逸させる手段を有する請求項１記載の陰極線管。
【請求項４】
上記共振器の翼部の一部分は、少なくとも上記マスクが再び振動し始めるとき上記マスクの上記表面と接触する請求項１記載の陰極線管。
【請求項５】
上記マスクの上記表面と接触する上記翼部の一部分は、上記マスクを挟むようにして上記マスクの上記エッジの両側に延在する請求項４記載の陰極線管。
【請求項６】
上記振動エネルギーを散逸させる手段は、上記共振器の上記翼部の厚さを通る少なくとも一つの環を有する請求項３記載の陰極線管。
【請求項７】
上記共振器及び上記マスクは、上記マスクの上記表面上で上記共振器の位置決めを確実にするために協働される追加の位置決め手段を有する請求項１記載の陰極線管。
【請求項８】
上記位置決め手段は、アパーチャと協働するボスを有する請求項７記載の陰極線管。
【請求項９】
上記位置決め手段は、切欠き部と協働するタブを有する請求項７記載の陰極線管。
【発明の詳細な説明】
【０００１】
【発明の属する技術分野】
本発明は、色陰極線管のための色選択マスク構造に関する。本発明は、色選択マスクを有する全てのタイプに適用でき、より特定的には、マスクが固定されているフレームによってマスクが張力下で保持される管に適合される。
【０００２】
【従来の技術】
従来の陰極線管は、管のガラス製の前面の内側から正確な距離に置かれた色選択マスクを有し、この前面上にはスクリーンを形成するよう赤、緑、及び、青蛍光体のグリッドが堆積される。管の後部分で内側に配置された電子銃は、前面の方向に向けられる３つの電子ビームを生成する。一般的に管の外側で電子銃の近傍に配置される電磁偏向装置は、蛍光体のグリッドが上に配置されたパネルの表面を電子ビームに走査させるよう電子ビームを逸らす機能を有する。夫々が特定の原色に対応する３つの電子ビームの影響の下、蛍光体のグリッドは、スクリーン上における画像の再現を可能にさせ、マスクは、各特定のビームが対応する色の蛍光体だけを照明することを可能にさせる。
【０００３】
管の動作中、色選択マスクは、管の内側で正確な位置に配置され保持されなくてはならない。マスクを保持する機能は、従来マスクが溶接されていた一般的に非常に剛性のある長方形の金属フレームによって行なわれる。フレーム／マスク組立体は、懸架手段によって管の前面に取り付けられ、この懸架手段は、通常フレームに溶接され管の前面を構成するガラス中に挿入される釘と協働する。
【０００４】
前面がより平坦な管が現在の動向に対応し、この前面は完全に平坦となる傾向にある。この種類の前面を有する管を製造するために一つの技術は、少なくとも一方向に張力下で保持される平坦なマスクを使用する。このような構造は、例えば、米国特許第４，８２７，１７９号に開示される。
【０００５】
色選択マスクが非常に薄い厚さの金属箔から成るため、管が動作される間、マスクの張力がマスクを振動させるといった望ましくない現象を生じさせ得る。衝撃又は外側の機械的振動、例えば、管が挿入されるテレビジョンセットの拡声器による音響振動の影響の下、マスクは、その固有共振周波数で振動し始め得る。マスクの振動は、結果として管のスクリーン上で電子ビームが当たるタッチダウン域を変更し、各ビームの衝突点は、関連する蛍光体グリッドに関してシフトされ、従って、スクリーン上で再現される画像の色を脱色させる。
【０００６】
【発明が解決しようとする課題】
上記引用された米国特許第４，８２７，１７９号は、マスクの振動を減衰する手段をマスクの面に追加することを提案する。しかしながら、この特許において実行される減衰装置は、実行するのに困難な複雑な構造を有する。従って、簡単で安価な減衰手段を有するマスク構造を含む陰極線管を有することが望ましい。
【０００７】
【課題を解決するための手段】
このために本発明による陰極線管は、支持フレームに固定され管の前面の内側に張力下で取り付けられるよう適合され、オリフィスがあけられた中央域及び上記中央域とエッジの間に配置された周辺域を有し、上記支持フレームと無関係に振動することができる、略長方形の金属箔の形態にある色選択マスクと、一部分が上記マスクの上記周辺域の表面に固定され２つの翼部が上記中央域の両側に延在する柔軟な細片の形態にある共振器を有し、上記マスク中の振動を減衰させるよう上記マスクの上記周辺域に配置されたマスク減衰振動手段とを有する。
【０００８】
【発明の実施の形態】
本発明は、以下の説明及び添付図面によってより良く理解される。
【０００９】
図１に例示するように、本発明による陰極線管１は、略平坦なフェースプレート２と周辺のスカート３とを有する。フェースプレートは、焼結されたガラスシール材を用いて管４のファンネル型の後部分に接続される。管の端部分５は、電子銃６を囲み、この電子銃のビームは、色選択マスク８を通じてルミネッセント蛍光スクリーン１３を照明し、この色選択マスク８は、ここでは平坦であり、例えば、フレーム１９の長辺９の間で引っ張られる。フレーム／マスク組立体の金属支持具は、この組立体を管の中で保持し、支持具がフレームに溶接された部分１０と、ガラス製のスカート３内に組込まれた釘１２と協働するアパーチャを具備するばね１１を形成する部分とを有することを可能にする。
【００１０】
図２に例示する技術水準の例では、フレーム１９は、一対の長辺９’と、一対の短辺７’とを有し、長辺及び短辺は、例えばＬ字型の断面を有する。略長方形の形状を有するマスク８’は張られ、例えば、フレームの長辺の端部分２０’にマスクを溶接することでマスクはこの状態で保持される。
【００１１】
マスクは、１００μｍのオーダの非常に薄い厚さの例えば、鋼又はインバーから形成される金属箔から成る。マスクは、一般的に列に配置されたアパーチャがあけられた中央域３０’と、水平なエッジ３１’及び垂直なエッジ３２’で中央域を囲う周辺域３８’とを有する。
【００１２】
マスクが外部の振動例えば、管に対する機械的衝撃又は管の近傍に配置された拡声器から発生される音響振動によって励起されるとき、張られた色選択マスクを使用する陰極線管の構造は、マスクに対して固有のモードでこのマスクの振動の問題と対処しなくてはならない。マスクの表面に対して垂直な方向におけるマスクの動作によってこれらの振動が明らかにされるため、マスクのアパーチャとスクリーンの間の距離は、マスクの振動の振幅の関数として局部的に変化する。スクリーン上で再現される色の純度は、もはや保証されず、スクリーン上のビームのタッチダウン点は、振動の振幅の関数としてシフトされる。
【００１３】
更に、中が高い真空度の管の内側にマスクが配置されるため、マスクの振動は、徐々に減衰され、エネルギーは、幾つかの散逸手段を有するマスクに伝達され、管が動作されるときスクリーン上の現象の可視性を増加する。
【００１４】
図３に例示するように、上記引用された米国特許第４，８２７，１７９号は、マスクがフレーム４０に溶接される場所の近傍におけるマスク８’のエッジ上に少なくとも一つの柔軟なリード４３が溶接される剛性の支持具４２を有する機械構造を配置することによって、連成振動子を形成する装置４１を介してマスクの振動を減衰させる解決策を提案する。装置４１の固有共振周波数は、特定の周波数帯域におけるマスクの振動を減衰するように選択される。しかしながら、この構造は、かなりの数の金属部品（支持具及び柔軟なリード）が使用されることより複雑且つ高価である点、及び、マスクの振動が速く減衰されることが望ましい場合にエネルギー散逸素子が減衰構造に追加されなくてならない点といった幾つかの不利な点を有する。
【００１５】
本発明は、一方向又は二方向に引っ張られたマスクの振動を減衰する、簡単、経済的、且、容易に実行される構造を提案する。
【００１６】
図５は、単一の方向、例えば、マスクの短辺３２に平行に引っ張られたマスクに適合される本発明の第１の実施例の斜視図である。
【００１７】
マスク８の周辺部分２８、例えば、マスクに垂直な短辺３２の方向には、例えば、溶接によってマスクのエッジの表面に固定された中央部分５１と、この中央部分の両側に延在する２つの翼部５０とを有する例えば、金属の形態にある減衰装置５５が配置される。従って、減衰装置５５は、金属片から打ち抜きスタンピングすることで単一のコンポーネント、又は、中央域５１の近傍で一緒に接続された２つの同一のコンポーネントとして形成され得る。減衰装置５５は、マスクと共に連成振動子のシステムを形成し、翼部５の長さ、厚さ、及び、重さのような減衰装置５５のパラメータは、減衰装置５５の振動の固有周波数が選択された値例えば、マスクの固有共振周波数に近くなるよう、装置５５の振動の固有周波数がマスクの振動から減算されるようにして従来の方法で選択される。
【００１８】
金属ブリッジによって一緒に接続される列のアパーチャがあけられる部分３０を有し、マスクに対して加えられる張力が例えば、短辺３２の方向に一軸であり長辺がフレームの長辺９のエッジ２０に溶接され、振動下にあるマスクの挙動が図４に従うようなフレーム／マスク装置のとき、マスクの振動の振幅は、短辺３２の中央の近傍で最大となる。従って、上述のタイプのマスクフレームを組込む管のために、マスクの２つの短辺夫々の中央に本発明によるダンパーを配置することが有利である。
【００１９】
本発明は、管に対する衝撃の間マスクに伝達される又は強力な音波を用いて伝達されるエネルギーを散逸させる手段の簡単な実行を可能にする構造を提供する。特定的には、管の動作中に可視となるため、たとえ振幅が低い場合でもマスクに伝達される振動が長い間持続されないことが必要である。非常に高い真空度の管の内側にマスクがおかれるため、マスクが速く減衰されるようエネルギー散逸手段を追加することが必要である。マスクが振動するとき例えば、翼部５０の部分５２がマスクと接触することが有利である。本発明によるフレーム／マスクの側面図を示す図６に示すように、振動エネルギーは、ダンパーの翼部の部分５２とマスクの表面の間の摩擦によって散逸される。装置５５が翼の形状であることにより、低い振動振幅の域の近傍例えば、翼部５０の端の近傍でマスクと接触するように部分５２を配置することで摩擦によって最大のエネルギー散逸を得ることが可能となり、ダンパー５５の中央部分は、マスクの振動の最大振幅の域に配置され、翼部の部分５２は、マスクの面に対して測定された翼部の高さ５３に比例するかなりの長さの域にわたってマスクを擦る。
【００２０】
図８は、別の実施例による翼部５０’の端の詳細を示す斜視図であり、この端５２’は、マスクの振動エネルギーをより速く散逸させるよう端５２’とマスクの表面の間の擦り表面を増加するようにしてマスクのエッジ３２を挟む。
【００２１】
マスク８の振動の時間を減少するために、図７の斜視図によって示すように、ダンパー５５の翼部に翼部中に形成されるオリフィス６１を通る少なくとも一つの金属製の輪又は環６０が追加される。輪は、開けられても閉じられてもよく、その断面は、オリフィスの中に移動し上記オリフィスのエッジに対する摩擦によってエネルギーを散逸できるようにオリフィス６１の径よりも僅かに小さい。示されていない別の実施例では、翼部の中に形成されるオリフィス６１を通じて翼部５０を通るようにリベットが配置され、リベットのヘッド部分はオリフィスの寸法よりも大きい寸法を有する一方でリベットの本体部分はオリフィスの径よりも小さい断面を有する。
【００２２】
マスクの短辺３２の方向にある連成振動子の配置は限定的でない。例えば、マスクがその長さ及び幅に対して平行な二方向に引っ張られる場合、本発明による振動ダンパーをマスクの水平及び垂直なエッジ夫々の方向に配置することが有利である。
【００２３】
更に、本発明によるダンパー振動子は、蛍光スクリーンに対向するマスクの表面上、又は、反対に、電子銃側のマスクの表面上のいずれかに配置され得る。所望の減衰効果を得るためにマスクの両面上にダンパーを配置することも有利である。
【００２４】
マスクの表面上に連成振動子を位置決めする手段は、振動子又はマスク自体の構造の複雑な変更を全く有すること無く追加され得る。これらの手段は、管の製造処理中にマスクのエッジ上に連成振動子の位置決めを容易化する目的を有する。図７に例示するように、これら位置決め手段は、マスク８のエッジ上にある切欠き部６６と協働する振動子５５と一体のタブ６５から成り得る。選択的に、タブは、マスクと一体であり、切欠き部が振動子５５の中央部分５１上におかれる。
【００２５】
例示しない別の実施例では、位置決め手段は、適切なアパーチャ中に挿入されるべき意図されたボスからなり得、ボスは、マスク上、又は、振動子５５の表面上、例えば、その中央部分５１に配置され得、マスク上に配置されると振動子の中央部分５１上に配置されたアパーチャと協働とし、振動子５５の表面上に配置されるとマスク８のエッジ上に配置されたアパーチャと協働する。
【図面の簡単な説明】
【図１】部分的に切除された本発明による陰極線管を示す図である。
【図２】振動減衰器を有しない技術水準によるフレーム／マスク組立体を示す図である。
【図３】技術水準による振動減衰装置の実施例の斜視図である。
【図４】振動を受ける引っ張られたマスクの表面の移動プロファイルを示す図である。
【図５】本発明の実施例を示す図である。
【図６】本発明の実施例を示す図である。
【図７】本発明の実施例を示す図である。
【図８】本発明の実施例を示す図である。
【符号の説明】
１  陰極線管
２  フェースプレート
３  スカート
４  ファンネル
５  管
６  電子銃
７  短辺
８  色選択マスク
９  長辺
１０  部分
１１  ばね
１２  釘
１３  スクリーン
１９、４０  フレーム
２０  端
２８  周辺域
３０  中央域
３１  水平エッジ
３２  垂直なエッジ
４１  装置
４２  支持具
４３  リード
５０  翼部
５１  中央部分
５２  部分
５３  高さ
５５  減衰装置
６０  環
６１  オリフィス
６５  タブ
６６  切欠き部
【図１】
0003942355.tif 000002
【図２】
0003942355.tif 000003
【図３】
0003942355.tif 000004
【図４】
0003942355.tif 000005
【図５】
0003942355.tif 000006
【図６】
0003942355.tif 000007
【図７】
0003942355.tif 000008
【図８】
0003942355.tif 000009